(57)【特許請求の範囲】
【請求項１】
冷暖同時運転可能な空気調和機であって、
第１圧縮機と第２圧縮機が並列に接続され、前記第１圧縮機、前記第２圧縮機、第１室外熱交換器、第２室外熱交換器、第１室内熱交換器、第２室内熱交換器および膨張弁を管路で接続した冷媒回路を有する冷凍サイクルを備え、
前記第２室外熱交換器および前記第１室内熱交換器を凝縮器として動作させ、前記第２室内熱交換器を蒸発器として動作させる第１運転モードで運転される場合、
前記第１圧縮機から吐出された冷媒は、前記第１室外熱交換器および前記第２室外熱交換器を介さずに前記第１室内熱交換器、前記膨張弁、前記第２室内熱交換器を順に流れ、
前記第２圧縮機から吐出された冷媒は、前記第２室外熱交換器を流れた後、前記第１室内熱交換器を介さずに、前記第２室内熱交換器を流れ、
前記第１室外熱交換器、前記第２室外熱交換器および前記第１室内熱交換器を凝縮器として動作させ、前記第２室内熱交換器を蒸発器として動作させる第２運転モードで運転される場合、
前記第１圧縮機から吐出された冷媒は、前記第１室外熱交換器、前記第１室内熱交換器、前記膨張弁、前記第２室内熱交換器を順に流れ、
前記第２圧縮機から吐出された冷媒は、前記第２室外熱交換器、前記第１室内熱交換器、前記膨張弁、前記第２室内熱交換器を順に流れる、空気調和機。
【請求項２】
前記第１室外熱交換器が配置されている室外の気温が閾値未満の場合、前記第１運転モードで運転され、
前記第１運転モードでは、前記第１室外熱交換器から前記第１室内熱交換器への前記冷媒の流れが停止され、かつ前記第２室外熱交換器から前記第１室内熱交換器への前記冷媒の流れが停止されるとともに、前記第２室外熱交換器から前記第２室内熱交換器に前記冷媒が流れ、
前記第１室外熱交換器が配置されている室外の気温が閾値以上の場合、前記第２運転モードで運転され、
前記第２運転モードでは、前記第２室外熱交換器から前記第２室内熱交換器への前記冷媒の流れが停止されるとともに、前記第１室外熱交換器から前記第１室内熱交換器へ前記冷媒が流れ、かつ前記第２室外熱交換器から前記第１室内熱交換器へ前記冷媒が流れる、請求項１に記載の空気調和機。
【請求項３】
前記第１圧縮機から前記第１室外熱交換器への前記第２運転モードにおいて形成される前記冷媒の流れと、前記第１圧縮機から前記第１室内熱交換器への前記第１運転モードにおいて形成される前記冷媒の流れとを切り替える切替機構と、
前記第２室外熱交換器から前記第１室内熱交換器への前記第２運転モードにおいて形成される前記冷媒の流れを停止可能な第１の弁とをさらに備える、請求項２に記載の空気調和機。
【請求項４】
前記第２室外熱交換器から前記第２室内熱交換器への前記第１運転モードにおいて形成される前記冷媒の流れを停止可能な第２の弁を備える、請求項３に記載の空気調和機。
【請求項５】
前記第１室外熱交換器は、空気と冷媒とを熱交換する空気熱交換器であり、
前記第１室外熱交換器から前記第１室内熱交換器への前記第２運転モードにおいて形成される前記冷媒の流れを停止可能な第３の弁をさらに備える、請求項３または４に記載の空気調和機。
【発明の詳細な説明】
【技術分野】
【０００１】
本発明は、空気調和機に関し、特に複数の室内熱交換器のうちの一部の室内熱交換器を凝縮器として作用させるとともに、他の室内熱交換器を蒸発器として作用させる運転（以下、冷暖同時運転とよぶ）が可能に設けられている空気調和機に関する。
【背景技術】
【０００２】
従来から、冷暖同時運転可能な空気調和機が知られている（例えば、特許文献１参照）。このような空気調和機は、運転負荷に応じて複数の室内熱交換器を冷房サイクルで運転するか、あるいは暖房サイクルで運転するかを判断している。【０００３】
特許文献１に記載の空気調和装置は、複数の室内熱交換器の全体の冷房負荷が暖房負荷よりも大きい運転状態である冷房主体運転時に、それぞれ凝縮器として作用する室内熱交換器と室外熱交換器とが圧縮機の吐出側に対して並列に接続される。この場合、圧縮機から吐出された冷媒は、一部が凝縮器として作用する室内熱交換器に流されるとともに、残部が凝縮器として作用する室外熱交換器を経て蒸発器として作用する室内熱交換器に流される。
【先行技術文献】
【特許文献】
【０００４】
【特許文献１】特開２０１０−１２７５０４号公報
【発明の概要】
【発明が解決しようとする課題】
【０００５】
従って、上記空気調和装置では、冷房主体運転時の圧縮機の圧縮比は、凝縮器として作用する室内熱交換器に設定された運転条件（例えば室内の設定温度）に依存する。【０００６】
そのため、上記空気調和装置は、室外熱交換器が配置されている室外の空気の温度（以下、単に外気温ともいう）が凝縮器として作用する室内熱交換器にて冷媒と熱交換される媒体の温度よりも低い条件（以下、単に低外気条件ともいう）下での冷房主体運転時に、凝縮器として作用する室外熱交換器において室外の空気または水と冷媒との間の温度差が大きくなり、運転効率が低下するという問題があった。【０００７】
本発明は、上記のような課題を解決するためになされたものである。本発明の主たる目的は、低外気条件下での冷房主体運転時に、運転効率が高い空気調和機を提供することにある。
【課題を解決するための手段】
【０００８】
本発明に係る空気調和機は、冷暖同時運転可能な空気調和機である。空気調和機は、第１圧縮機と第２圧縮機が並列に接続され、第１圧縮機、第２圧縮機、第１室外熱交換器、第２室外熱交換器、第１室内熱交換器、第２室内熱交換器および膨張弁を管路で接続した冷媒回路を有する冷凍サイクルを備える。第２室外熱交換器および第１室内熱交換器を凝縮器として動作させる第１運転モードで運転される場合、第１圧縮機から吐出された冷媒は、第１室外熱交換器および第２室外熱交換器を介さずに第１室内熱交換器、膨張弁、第２室内熱交換器を順に流れる。第２圧縮機から吐出された冷媒は、第２室外熱交換器を流れた後、第１室内熱交換器を介さずに、第２室内熱交換器を流れる。
【発明の効果】
【０００９】
本発明によれば、第１室外熱交換器が配置されている室外の気温が閾値未満である低外気条件下において上記第１運転モードで運転されることにより、低外気条件下での冷房主体運転時の運転効率が高い空気調和機を提供することができる。
【図面の簡単な説明】
【００１０】
【図１】実施の形態１に係る空気調和機の冷房主体運転時における第１状態の冷媒回路構成を示す図である。
【図２】（ａ）実施の形態１に係る空気調和機の冷房主体運転時の成績係数と外気温との関係を示すグラフである。（ｂ）実施の形態１に係る空気調和機の冷房主体運転時のサイクル動作を示す圧力−エンタルピー（Ｐ−ｈ）線図である。
【図３】実施の形態１に係る空気調和機の冷房主体運転時における第２状態の冷媒回路構成を示す図である。
【図４】実施の形態１に係る空気調和機の冷房専用運転時の冷媒回路構成を示す図である。
【図５】実施の形態１に係る空気調和機の完全熱回収運転時の冷媒回路構成を示す図である。
【図６】実施の形態１に係る空気調和機の完全熱回収運転時の冷媒回路構成を示す図である。
【図７】実施の形態１に係る空気調和機の暖房主体運転時の冷媒回路構成を示す図である。
【図８】実施の形態１に係る空気調和機の暖房専用運転時の冷媒回路構成を示す図である。
【図９】実施の形態２に係る空気調和機の低外気条件下での冷房主体運転時における第２状態の冷媒回路構成を示す図である。
【図１０】従来の冷暖同時運転可能な空気調和機の冷媒回路構成を示す図である。
【図１１】図１０に示す空気調和機の冷房主体運転時の冷凍サイクル動作を示す圧力−エンタルピー線図である。
【発明を実施するための形態】
【００１１】
以下、図面を参照して、本発明の実施の形態について説明する。なお、以下の図面において、同一または相当する部分には同一の参照番号を付し、その説明は繰り返さない。
【００１２】
（実施の形態１）
＜空気調和機の構成＞
図１を参照して、実施の形態１に係る空気調和機１００について説明する。空気調和機１００は、冷暖同時運転可能である。空気調和機１００は、第１圧縮機１および第２圧縮機２と、第１室外熱交換器３および第２室外熱交換器４と、第１室内熱交換器５および第２室内熱交換器６と、第１四方弁７および第２四方弁８と、第１三方弁９（切替機構）と、第２三方弁１０と、第１電磁弁１１と、第２電磁弁１２（第１の弁）と、第１膨張弁１５（第２の弁）と、第２膨張弁１４（第３の弁）と、第３膨張弁１６と、第４膨張弁１７とを主に備える。第１圧縮機１および第２圧縮機２と、第１室外熱交換器３および第２室外熱交換器４と、第１室内熱交換器５および第２室内熱交換器６と、第１四方弁７および第２四方弁８と、第１三方弁９と、第２三方弁１０と、第１電磁弁１１と、第２電磁弁１２と、第１膨張弁１５と、第２膨張弁１４と、第３膨張弁１６と、第４膨張弁１７とは、以下のように接続されることにより、冷凍サイクルを構成している。
【００１３】
第１圧縮機１と第２圧縮機２とは、第１室内熱交換器５および第２室内熱交換器６に対し、互いに並列に接続されている。第１圧縮機１は、冷媒が吸入される吸入側および冷媒が吐出される吐出側が第１四方弁７の異なるポートに接続されている。第１圧縮機１は、その吸入側および吐出側の一方が第１四方弁７を介して第１三方弁９に接続されており、かつ他方が第１四方弁７を介して第２室内熱交換器６に接続されている。
【００１４】
第２圧縮機２は、冷媒が吸入される吸入側および冷媒が吐出される吐出側が第２四方弁８の異なるポートに接続されている。第２圧縮機２は、その吸入側および吐出側の一方が第２四方弁８を介して第２三方弁１０に接続されており、かつ他方が第２四方弁８を介して第２室内熱交換器６に接続されている。
【００１５】
第１室外熱交換器３および第２室外熱交換器４は、例えば空気と冷媒とを熱交換する空気熱交換器である。第１室外熱交換器３および第２室外熱交換器４の内部には冷媒流路が設けられている。第１室外熱交換器３および第２室外熱交換器４には当該冷媒流路の一端および他端として少なくとも２つの冷媒出入口が設けられている。
【００１６】
冷媒は、２つの冷媒出入口のうち一方の冷媒出入口から流入し、他方の冷媒出入口から流出する。第１室外熱交換器３および第２室外熱交換器４を流れる冷媒の向きは、空気調和機１００の運転モードによって異なる。第２室外熱交換器４のみ、もしくは第１室外熱交換器３と第２室外熱交換器４の両方が凝縮器として動作される冷房主体運転時において第１室外熱交換器３および第２室外熱交換器４に冷媒が流入する冷媒出入口を、以下において単に流入側という。冷房主体運転時において第１室外熱交換器３および第２室外熱交換器４から冷媒が流出する冷媒出入口を、以下において単に流出側という。なお、第１室外熱交換器３は、後述する冷房主体運転時の第１状態（第２運転モード）において凝縮器として作用する。第１室外熱交換器３は、後述する冷房主体運転時の第２状態（第１運転モード）において熱交換器として作用しない（冷媒がバイパスされる）。第２室外熱交換器４は、後述する冷房主体運転時の第１状態および第２状態において凝縮器として作用する。
【００１７】
第１室内熱交換器５および第２室内熱交換器６は、例えば水と冷媒とを熱交換する水熱交換器である。第１室内熱交換器５および第２室内熱交換器６の内部には、冷媒流路が設けられている。第１室内熱交換器５および第２室内熱交換器６には、当該冷媒流路の一端および他端として、重力方向の上方に位置する冷媒出入口５Ａ，６Ａおよび下方に位置する冷媒出入口５Ｂ，６Ｂが設けられている。第１室内熱交換器５および第２室内熱交換器６は、凝縮器として作用するときには、冷媒が重力方向の上方に位置する冷媒出入口５Ａ，６Ａから流入して下方に位置する冷媒出入口５Ｂ，６Ｂから流出されるように設けられており、蒸発器として作用するときには、冷媒が重力方向の下方に位置する冷媒出入口５Ｂ，６Ｂから流入して上方に位置する冷媒出入口５Ａ，６Ａから流出されるように設けられている。第１室内熱交換器５および第２室内熱交換器６の各々は、凝縮器または蒸発器として独立して動作し得る。第１室内熱交換器５は冷房主体運転時において凝縮器として作用する。第２室内熱交換器６は冷房主体運転時において蒸発器として作用する。
【００１８】
第１四方弁７は、第１圧縮機１の吸入側と接続されているポートと、第１圧縮機１の吐出側と接続されているポートと、第１三方弁９と接続されているポートと、第２室内熱交換器６の冷媒出入口６Ａと接続されているポートとを有している。第１四方弁７は、第１圧縮機１の吸入側が第２室内熱交換器６の冷媒出入口６Ａと接続されておりかつ第１圧縮機１の吐出側が第１三方弁９と接続されている状態と、第１圧縮機１の吸入側が第１三方弁９と接続されておりかつ第１圧縮機１の吐出側が第２室内熱交換器６の冷媒出入口６Ａと接続されている状態とを切替可能に設けられている。
【００１９】
第２四方弁８は、第２圧縮機２の吸入側と接続されているポートと、第２圧縮機２の吐出側と接続されているポートと、第２三方弁１０と接続されているポートと、第２室内熱交換器６の冷媒出入口６Ａと接続されているポートとを有している。第２四方弁８は、第２圧縮機２の吸入側が第２室内熱交換器６の冷媒出入口６Ａと接続されておりかつ第２圧縮機２の吐出側が第２三方弁１０と接続されている状態と、第２圧縮機２の吸入側が第２三方弁１０と接続されておりかつ第２圧縮機２の吐出側が第２室内熱交換器６の冷媒出入口６Ａと接続されている状態とを切替可能に設けられている。
【００２０】
第１三方弁９は、第１四方弁７を介して第１圧縮機１の吸入側または吐出側と接続されているポートと、第１室外熱交換器３の冷房主体運転時および冷房専用運転時の流入側と接続されているポートと、第１室内熱交換器５の冷媒出入口５Ａと接続されているポートとを有している。第１三方弁９は、第１圧縮機１の吸入側または吐出側と第１室外熱交換器３の上記流入側とが接続されている状態と、第１圧縮機１の吸入側または吐出側と第１室内熱交換器５の冷媒出入口５Ａとが接続されている状態とを切替可能に設けられている。言い換えると、第１三方弁９は、第１圧縮機１から第１室外熱交換器３への第１状態において形成される冷媒の流れと、第１圧縮機１から第１室内熱交換器５への第２状態において形成される冷媒の流れとを切り替える可能に設けられている。
【００２１】
第２三方弁１０は、第２四方弁８を介して第２圧縮機２の吸入側または吐出側と接続されているポートと、第２室外熱交換器４と接続されているポートと、第１室内熱交換器５と接続されているポートとを有している。第２三方弁１０は、第２圧縮機２の吸入側または吐出側と第２室外熱交換器４とが接続されている状態と、第２圧縮機２の吸入側または吐出側と第１室内熱交換器５とが接続されている状態とを切替可能に設けられている。
【００２２】
第１電磁弁１１は、第１室外熱交換器３の上記流出側と第１室内熱交換器５の冷媒出入口５Ｂおよび第２室内熱交換器６の冷媒出入口６Ｂとの間に設けられている冷媒流路を開閉可能に設けられている。さらに、第１電磁弁１１は、第２室外熱交換器４の上記流出側と第１室内熱交換器５の冷媒出入口５Ａおよび第２室内熱交換器６の冷媒出入口６Ａとの間に設けられている冷媒流路を開閉可能に設けられている。第２電磁弁１２は、第２室外熱交換器４と第１電磁弁１１との間に設けられている冷媒流路を開閉可能に設けられている。第２電磁弁１２は、第２室外熱交換器４から第１室内熱交換器５への第１状態において形成される冷媒の流れを停止可能に設けられている。
【００２３】
第１膨張弁１５は、第１室外熱交換器３の上記流出側と第１室内熱交換器５の冷媒出入口５Ｂおよび第２室内熱交換器６の冷媒出入口６Ｂとの間に設けられている冷媒流路を開閉可能に設けられている。さらに、第１膨張弁１５は、第２室外熱交換器４の上記流出側と第１室内熱交換器５の冷媒出入口５Ｂおよび第２室内熱交換器６の冷媒出入口６Ｂとの間に設けられている冷媒流路を開閉可能に設けられている。第１膨張弁１５は、第２室外熱交換器４から第２室内熱交換器６への第２状態において形成される冷媒の流れを停止可能に設けられている。第１膨張弁１５は、開度を任意に制御することができ、全閉止および全開放時以外の任意の開度において冷媒を減圧膨張させることができる。
【００２４】
第２膨張弁１４は、第１室外熱交換器３の上記流出側と第１室内熱交換器５の冷媒出入口５Ａおよび第２室外熱交換器４の冷媒出入口６Ａとの間に形成される冷媒流路を開閉可能に設けられている。さらに第２膨張弁１４は、第１室外熱交換器３の上記流出側と第１室内熱交換器５の冷媒出入口５Ｂおよび第２室外熱交換器４の冷媒出入口６Ｂとの間に形成される冷媒流路を開閉可能に設けられている。第２膨張弁１４は、第１室外熱交換器３から第１室内熱交換器５への第１状態において形成される冷媒の流れを停止可能に設けられている。
【００２５】
第３膨張弁１６および第４膨張弁１７は、第１室内熱交換器５の冷媒出入口５Ｂと第２室内熱交換器６の冷媒出入口６Ｂとの間に設けられている冷媒流路において、第１室外熱交換器３の上記流出側と第１室内熱交換器５の冷媒出入口５Ｂとの間および第２室外熱交換器４の上記流出側と第１室内熱交換器５の冷媒出入口５Ｂとの間に設けられている冷媒流路を開閉可能に設けられている。第３膨張弁１６および第４膨張弁１７は、開度を任意に制御することができ、全閉止および全開放時以外の任意の開度において冷媒を減圧膨張させることができる。冷房主体運転時には、例えば第３膨張弁１６が全開放され、第４膨張弁１７の開度が調整される。これにより、冷房主体運転時において、第１室内熱交換器５の冷媒出入口５Ｂと第２室内熱交換器６の冷媒出入口６Ｂとの間に設けられている冷媒流路に流れる冷媒は減圧膨張される。
【００２６】
冷房主体運転時において、第１室外熱交換器３、第２室外熱交換器４、第１室内熱交換器５および第２室内熱交換器６は、以下のように接続されている。第１圧縮機１の吐出側は、第１四方弁７及び第１三方弁９を介して第１室外熱交換器３の流入側に接続されているとともに、第１四方弁７、第１三方弁９および第１電磁弁１１を介して第１室内熱交換器５の冷媒出入口５Ａに接続されている。第２圧縮機２の吐出側は、第２四方弁８及び第２三方弁１０を介して第２室外熱交換器４の流入側に接続されているとともに、第２四方弁８、第２三方弁１０および第１電磁弁１１を介して第１室内熱交換器５の冷媒出入口５Ａに接続されている。第１室外熱交換器３の流出側は、第２膨張弁１４および第１電磁弁１１を介して第１室内熱交換器５の冷媒出入口５Ａと接続されている。第２室外熱交換器４の流出側は、第１電磁弁１１および第２電磁弁１２を介して第１室内熱交換器５の冷媒出入口５Ａと接続されているとともに、第１膨張弁１５を介して第２室内熱交換器６の冷媒出入口６Ｂと接続されている。
【００２７】
例えば、第１圧縮機１の吐出側と第１室内熱交換器５の冷媒出入口５Ａとの間の冷媒流路は、第１室外熱交換器３の上記流出側と第１室内熱交換器５の冷媒出入口５Ａとの間の冷媒流路と一部が重なるように接続されている。第２膨張弁１４は、第１室外熱交換器３の上記流出側と第１室内熱交換器５の冷媒出入口５Ａとの間の冷媒流路において、第１圧縮機１の吐出側と第１室内熱交換器５の冷媒出入口５Ａとの間の冷媒流路と重なっていない部分を開閉可能に設けられている。異なる観点から言えば、第１室外熱交換器３の上記流出側と後述する４分岐点ｈとの間に設けられている。第２膨張弁１４は、開度を任意に制御することができ、全閉止および全開放時以外の任意の開度において冷媒を減圧膨張させることができる。
【００２８】
空気調和機１００は、第２室外熱交換器４を凝縮器として動作させ、第１室内熱交換器５が凝縮器として作用するとともに第２室内熱交換器６が蒸発器として作用する冷房主体運転時において、第１状態と第２状態とを切替可能に設けられている。第１状態は、第１室外熱交換器３が配置されている室外の気温（外気温）が予め定められた設定温度以上の場合に選択される。第２状態は、当該外気温が予め定められた設定温度未満の場合に選択される（詳細は後述する）。図１に示すように、第１状態では、第１三方弁９を介して第１圧縮機１と第１室外熱交換器３とが接続されており、第１膨張弁１５が閉止されており、かつ第１電磁弁１１、第２電磁弁１２及び第２膨張弁１４が開放されている。図３に示すように、第２状態では、第１三方弁９を介して第１圧縮機１と第１室内熱交換器５とが接続されており、第１電磁弁１１、第１膨張弁１５が開放されており、かつ第２電磁弁１２および第２膨張弁１４が閉止されている。
【００２９】
空気調和機１００は、第１状態において、第１圧縮機１、第１四方弁７、第１三方弁９、第１室外熱交換器３、第２膨張弁１４、第１電磁弁１１、第１室内熱交換器５、第３膨張弁１６、第４膨張弁１７および第２室内熱交換器６が順に直列に接続されている。さらに、空気調和機１００は、第１状態において、第２圧縮機２、第２四方弁８、第２三方弁１０、第２室外熱交換器４、第２電磁弁１２、第１電磁弁１１、第１室内熱交換器５、第３膨張弁１６、第４膨張弁１７および第２室内熱交換器６が順に直列に接続されている。第１状態では、第１室外熱交換器３から第１室内熱交換器５への冷媒の流れが停止されている。第１状態では、第２室外熱交換器４から第１室内熱交換器５への冷媒の流れが停止されている。
【００３０】
空気調和機１００は、第２状態において、第１圧縮機１、第１四方弁７、第１三方弁９、第１電磁弁１１、第１室内熱交換器５、第３膨張弁１６、第４膨張弁１７および第２室内熱交換器６が順に直列に接続されている。さらに、空気調和機１００は、第２状態において、第２圧縮機２、第２四方弁８、第２三方弁１０、第２室外熱交換器４、第１膨張弁１５、および第２室内熱交換器６が順に直列に接続されている。すなわち、第１状態において、第１圧縮機１から吐出された冷媒は、第１室外熱交換器３、第２膨張弁１４、第１電磁弁１１、第１室内熱交換器５、第３膨張弁１６、第４膨張弁１７、第２室内熱交換器６を順に流れる。第１状態において、第２圧縮機２から吐出された冷媒は、第２室外熱交換器４、第２電磁弁１２、第１電磁弁１１、第１室内熱交換器５、第３膨張弁１６、第４膨張弁１７、第２室内熱交換器６を順に流れる。また、第２状態において、第１圧縮機１から吐出された冷媒は、第１室外熱交換器３および第２室外熱交換器４を介さずに、第１電磁弁１１、第１室内熱交換器５、第３膨張弁１６、第４膨張弁１７、第２室内熱交換器６を順に流れる。第２状態において、第２圧縮機から吐出された冷媒は、第２室外熱交換器４を流れた後、第１室内熱交換器５を介さずに、第１膨張弁１５、第２室内熱交換器６の順に流れる。第２状態では、第１室外熱交換器３から第１室内熱交換器５への冷媒の流れが停止されている。第２状態では、第２室外熱交換器４から第１室内熱交換器５への冷媒の流れが停止されている。
【００３１】
空気調和機１００は、冷房主体運転時において、第１状態と第２状態とが第１室内熱交換器５において冷媒と熱交換される水（媒体）の温度および第１室外熱交換器３が配置されている室外の気温（外気温）に基づいて、切り替えられる。なお、水温および外気温は、任意の方法により測定され得る。水温は、例えば第１室内熱交換器５における水の流出入口に設けられた温度センサ（図示しない）によって測定される。外気温は、例えば大１室外熱交換器３に併設されている温度センサ（図示しない）によって測定される。
【００３２】
空気調和機１００は、冷房主体運転時において、第１室外熱交換器３が配置されている外気温が予め設定されている設定値以上であるときに、第１状態が維持される。空気調和機１００は、冷房主体運転時において、第１室外熱交換器３が配置されている外気温が上記設定値未満である低外気条件であるときに、第２状態が維持される。予め設定されている外気温の設定値は、第１室内熱交換器５において冷媒と熱交換される水（媒体）の温度未満である。空気調和機１００は、第１状態にあるときに、第１室外熱交換器３が配置されている外気温が上記設定値未満となったときに第２状態に切り替えられる。空気調和機１００は、第２状態にあるときに、第１室外熱交換器３が配置されている外気温が上記設定値以上となったときに第１状態に切り替えられる。
【００３３】
＜作用効果＞
このような構成を備える空気調和機１００は、冷房主体運転時に上記外気温が上記水温未満である設定値以下である条件下において上記第２状態が実現されることにより、第１圧縮機１から吐出された冷媒を凝縮器として作用する第１室内熱交換器５に直接供給することができる。このとき、空気調和機１００において、第２圧縮機２から吐出された冷媒は、凝縮器として作用する第２室外熱交換器４を経た後、凝縮器として作用する第１室内熱交換器５を通らずに蒸発器として作用する第２室内熱交換器６に供給される。そのため、空気調和機１００は、低外気条件での冷房主体運転時に、第１圧縮機１のみを高圧縮比で動作させ、第２圧縮機２を低圧縮比で動作させることができる。これにより、空気調和機１００は、低外気条件下での冷房主体運転時において同一の圧縮機から吐出された冷媒の一部が凝縮器として作用する室内熱交換器に供給されるとともに、残部が凝縮器として作用する室外熱交器を経て蒸発器として作用する室内熱交換器に供給される従来の空気調和機と比べて、低外気条件下での冷房主体運転時の運転効率が向上されている。
【００３４】
上記空気調和機１００は、第１状態と第２状態とが、第１室内熱交換器５において冷媒と熱交換される媒体の温度および第１室外熱交換器３が配置されている室外の気温に基づいて、切り替えられるのが好ましい。より好ましくは、上記空気調和機１００は、冷房主体運転時において、第１室外熱交換器３が配置されている室外の気温が設定値未満であるときに、第１状態から第２状態に切り替えられる。当該設定値は、第１室内熱交換器５において冷媒と熱交換される媒体の温度未満である。
【００３５】
本発明者らは、低外気条件下での冷房主体運転時に、空気調和機１００の運転効率が以下のようになることを確認した。図２（ａ）は、空気調和機１００の冷房主体運転時の成績係数（ＣＯＰ：Ｃｏｅｆｆｉｃｉｅｎｔ  Ｏｆ  Ｐｅｒｆｏｒｍａｎｃｅ）と外気温との関係を示すグラフである。図２（ａ）の縦軸は冷房主体運転時のＣＯＰを示し、横軸は外気温を示す。図２（ａ）の曲線Ａは、第１室外熱交換器３および第２室外熱交換器４を凝縮器として用いた第１状態の冷媒回路構成時のＣＯＰを示し、曲線Ｂは第１室外熱交換器３を機能させずに第２室外熱交換器４のみを凝縮器として用いた第２状態の冷媒回路構成時のＣＯＰを示す。上記外気温が第１室内熱交換器５において冷媒と熱交換される上記水の温度未満である所定の値Ｄ（図２（ａ）参照）のとき、第１室外熱交換器３、第２室外熱交換器４および第１室内熱交換器５を凝縮器として用いる第１状態にある空気調和機のＣＯＰ（曲線Ａ）は、第２室外熱交換器４および第１室内熱交換器５を凝縮器として用いる第２状態にある空気調和機のＣＯＰ（曲線Ｂ）と等しくなる。外気温が上記所定の値Ｄ未満のとき、上記第２状態にある空気調和機１００のＣＯＰは上記第１状態にある空気調和機１００のＣＯＰよりも高くなる。外気温が上記所定の値超えのとき、上記第１状態にある空気調和機１００のＣＯＰは、上記第２状態にある空気調和機１００のＣＯＰよりも高くなる。そのため、空気調和機１００は、上記所定の値が第１状態と第２状態とを切り替える基準となる上記設定値として設定されるのが好ましい。すなわち、空気調和機１００は、上記外気温が上記所定の値以上または超えであるときに第１状態とされ、上記外気温が上記所定の値未満または以下であるときに第２状態とされるのが好ましい。これにより、空気調和機１００は、上記低外気条件下においても上記外気温が上記水温超えである高外気条件下においても、冷媒主体運転時の運転効率が高められている。
【００３６】
上記空気調和機１００は、第１室外熱交換器３と第１室内熱交換器５との間に第２膨張弁１４を設けているが、第２膨張弁１４が設けられていない場合においても上記動作を実施することができ、上記効果を奏することができる。しかし、第１室外熱交換器３と第２室外熱交換器４とが空気と冷媒とを熱交換する空気熱交換器である場合、第１室外熱交換器３と第１室内熱交換器５との間に第２膨張弁１４をさらに備えているのが好ましい。第２膨張弁１４は、第１状態において開放されており、第２状態において閉止されている。第１状態において、第１圧縮機１、第１三方弁９、第１室外熱交換器３、第２膨張弁１４、第１室内熱交換器５、および第２室内熱交換器６が順に直列に接続されている。
【００３７】
このようにすれば、第２状態において第２膨張弁１４を閉止することにより、第２状態において休止状態にある第１室外熱交換器３に第１圧縮機１から吐出された冷媒が上記流出側から浸入してその底部に液状態で溜まること（冷媒の寝込み）を防止することが出来る。そのため、空気調和機１００は、第２状態においても冷媒の寝込みに伴う冷媒の循環量の低下が防止されており、空調能力の低下が防止されている。上記空気調和機１００は、第２三方弁１０を備えていなくてもよい。第２四方弁８は、第２三方弁１０を介さずに第２室外熱交換器４と接続されていてもよい。このようにしても、空気調和機１００は、第１三方弁９、第２電磁弁１２、第１膨張弁１５および第２膨張弁１４により、第１状態と第２状態とが切り替えられ得る。
【００３８】
＜具体例＞
空気調和機１００の具体例について説明する。図１に示されるように、第２室内熱交換器６の冷媒出入口６Ａと第１圧縮機１の吸入側および第２圧縮機２の吸入側との間形成されている冷媒流路は、分岐点ａ（図１参照）において、第１四方弁７を介して第１圧縮機１の吸入側と第２室内熱交換器６の冷媒出入口６Ａとの間に形成されている冷媒流路と、第２四方弁８を介して第２圧縮機２の吸入側と第２室内熱交換器６の冷媒出入口６Ａとの間に形成されている冷媒流路とに分岐されている。
【００３９】
空気調和機１００は、例えば４分岐されている冷媒配管を有している。４分岐管の分岐点ｈは、第１室外熱交換器３の流出側と第１室内熱交換器５の冷媒出入口５Ａとの間に形成されている冷媒流路において、第２膨張弁１４と第１電磁弁１１との間に設けられている。分岐点ｈは、第２室外熱交換器４の流出側と第１室内熱交換器５の冷媒出入口５Ａとの間に形成されている冷媒流路において、第１電磁弁１１と第２電磁弁１２との間に設けられている。分岐点ｈは、第１圧縮機１と第１室内熱交換器５との間に形成されている冷媒流路において、第１三方弁９と第２電磁弁１２との間に設けられている。冷房主体運転時の第１状態において、当該分岐点ｈを有する分岐管には、第１室外熱交換器３から第１室内熱交換器５に流れる冷媒と、第２室外熱交換器４から第１室内熱交換器５に流れる冷媒とが流通する。冷房主体運転時の第２状態において、当該分岐点ｈを有する分岐管には、第１圧縮機１から第１室内熱交換器５に流れる冷媒のみが流通する。
【００４０】
空気調和機１００は、例えば３分岐されている冷媒配管を有している。３分岐管の分岐点ｉは、第２室外熱交換器４の流出側と第２室内熱交換器６の冷媒出入口６Ｂとの間に形成されている冷媒流路において、第１膨張弁１５よりも第２室外熱交換器４側に設けられている。分岐点ｉは、第１圧縮機１の吐出側と第２室内熱交換器６の冷媒出入口６Ｂとの間に形成されている冷媒流路において、第２電磁弁１２と第１膨張弁１５との間に設けられている。分岐点ｈと分岐点ｉとの間に、第２電磁弁１２が設けられている。
【００４１】
空気調和機１００は、第２室外熱交換器４と第１室内熱交換器５との間に設けられている第１電磁弁１１を備えていなくてもよく、このようにしても上記動作を実施することができ、上記効果を奏することができる。また、空気調和機１００は、第３膨張弁１６および第４膨張弁１７のうち少なくともいずれか一方を備えていればよい。第３膨張弁１６または第４膨張弁１７を備えている空気調和機１００であっても、上記動作を実施することができ、上記効果を奏することができる。
【００４２】
また、空気調和機１００は、第１室外熱交換器３の上記流出側と第２室内熱交換器６の冷媒出入口６Ａとの間に設けられている冷媒流路、および第３電磁弁１３をさらに備えているのが好ましい。第３電磁弁１３は、第１室外熱交換器３の上記流出側と第２室内熱交換器６の冷媒出入口６Ａとの間に設けられている冷媒流路において、第２室外熱交換器４の上記流出側と第２室内熱交換器６の冷媒出入口６Ａとの間に位置し、かつ第１室内熱交換器５の冷媒出入口５Ａと第２室内熱交換器６の冷媒出入口６Ａとの間に設けられている冷媒流路（図１中の分岐点ｊと分岐点ｋとの間に位置する冷媒流路）を開閉可能に設けられている。
【００４３】
空気調和機１００は、第１状態および第２状態において、第２電磁弁１２、第３膨張弁１６および第４膨張弁１７が開放されており、第３電磁弁１３が閉止されている。この場合、空気調和機１００は、以下のように接続されている。
【００４４】
図１〜図３を参照して、空気調和機１００の冷房主体運転時のサイクル動作を示す圧力−エンタルピー（Ｐ−ｈ）線図について説明する。まず、図１および図３を参照して、第１状態または第２状態にある空気調和機１００において、以下のような点ａ〜点ｇを考える。点ａは、第１圧縮機１および第２圧縮機２の吸入側に位置する点である。点ｂは、第２圧縮機２の吐出側に位置する点である。点ｃは、第１圧縮機１の吐出側に位置する点である。点ｄは、第２室外熱交換器４の上記流出側に位置する点である。点ｅは、第１室内熱交換器５の上記冷媒出入口５Ｂと第２室内熱交換器６の冷媒出入口６Ｂとの間に位置し、かつ第３膨張弁１６と第４膨張弁１７との間に位置する点である。点ｆは、第２膨張弁１４と第２室内熱交換器６の冷媒出入口６Ｂと間に位置する点である。点ｇは、第２室内熱交換器６の冷媒出入口６Ｂに位置する点である。
【００４５】
図２（ｂ）は、空気調和機１００の冷房主体運転時の第２状態のサイクル動作を示す圧力−エンタルピー線図である。図２（ｂ）の縦軸は圧力Ｐ（単位：ＭＰａ）、図２（ｂ）の横軸は比エンタルピーｈ（単位：ｋＪ／ｋｇ）である。図２（ｂ）中の曲線は、冷媒の飽和蒸気線および飽和液線である。図２（ｂ）に示される各点ａ〜点ｇは、図１中の各点ａ〜点ｇにおける圧力および比エンタルピーを示している。図２（ｂ）に示されるように、空気調和機１００は、第２状態にあるときに、第１圧縮機１の前後の比エンタルピー差（吸入側での比エンタルピーと吐出側での比エンタルピーとの差）Δｈ１は、第２圧縮機２の前後の比エンタルピー差Δｈ２よりも小さくすることができる。空気調和機１００において、第１圧縮機１および第２圧縮機２の全体の上記比エンタルピー差は、Δｈ１＋Δｈ２となる。
【００４６】
これに対し、図１０および図１１を参照して、従来の空気調和機の冷房主体運転時のサイクル動作を示す圧力−エンタルピー（Ｐ−ｈ）線図について説明する。まず、図１０は、従来の空気調和機の冷房主体運転時における冷媒回路構成を示す図である。従来の空気調和機は、多段式の圧縮機２１，２２を備え、前段の圧縮機２１の吐出側が室外熱交換器２３を介して後段の圧縮機２２の吸入側に接続されている。後段の圧縮機２２の吐出側が、凝縮器として作用する室外熱交換器２４の流入側および室内熱交換器２５の流入側に接続されている。室内熱交換器２５の流出側は、膨張弁２７および膨張弁２８を介して蒸発器として作用する室内熱交換器２６の流入側に接続されている。室外熱交換器２４の流出側は、膨張弁２８を介して蒸発器として作用する室内熱交換器２６の流入側に接続されている。つまり、従来の空気調和機は、圧縮機２１、室外熱交換器２３、圧縮機２２、室外熱交換器２４、膨張弁２８および室内熱交換器２６が順に直列に接続されているとともに、圧縮機２１、室外熱交換器２３、圧縮機２２、室内熱交換器２５、膨張弁２７、膨張弁２８および室内熱交換器２６が順に直列に接続されている。このような冷房主体運転時にある従来の空気調和機において、以下のような点ｏ〜点ｔを考える。点ｏは、圧縮機２１の吸入側に位置する点である。点ｐは、圧縮機２１の吐出側に位置する点である。点ｑは、室外熱交換器２３の流出側と圧縮機２２の吸入側との間に位置する点である。点ｒは、圧縮機２２の吐出側に位置する点である。点ｓは、室外熱交換器２４の流出側に位置する点である。点ｔは、膨張弁２８と室内熱交換器２６の流入側との間に位置する点である。
【００４７】
図１１は、図１０に示される従来の空気調和機の冷房主体運転時のサイクル動作を示す圧力‐エンタルピー線図である。図１１の縦軸は圧力Ｐ（単位：ＭＰａ）、図１１の横軸は比エンタルピーｈ（単位：ｋＪ／ｋｇ）である。図１１に示される各点ｏ〜点ｔは、図１０中の各点ｏ〜点ｔにおける圧力および比エンタルピーを示している。図１１に示されるように、従来の空気調和機は、冷房主体運転時に常に、凝縮器としての室内熱交換器２５に供給されるべく圧縮された高温高圧な冷媒が室外熱交換器２４に供給される。そのため、従来の空気調和機の圧縮機２１，２２の全体の上記比エンタルピー差は、圧縮機２１の前後の比エンタルピー差Δｈ３と、圧縮機２２の前後の比エンタルピー差Δｈ４との和の２倍、すなわち２×（Δｈ３＋Δｈ４）となる。なお、図１１中の点ｒ’は、図１０に示される室外熱交換器２３を機能させなかった場合における点Ｄでの圧力および比エンタルピーを示している。
【００４８】
空気調和機１００と従来の空気調和機とを比較すると、凝縮器として作用する室内熱交換器（図１中の第１室内熱交換器５および図１０中の室内熱交換器２５）および蒸発器として作用する室内熱交換器（図１中の第２室内熱交換器６および図１０中の室内熱交換器２６）に供給される冷媒の圧力および比エンタルピーを同等とした場合、空気調和機１００は、従来の空気調和機と室内熱交換器における熱交換量を同等としながらも、従来の空気調和機と比べて第２圧縮機２の仕事量を低減することができる。
【００４９】
なお、図１〜図８に示されるように、空気調和機１００は、室外熱交換器と室内熱交換器との間に例えば以下のような冷媒管路が設けられていてもよい。
【００５０】
第１室外熱交換器３の上記流出側と第１室内熱交換器５の冷媒出入口５Ａとの間には、第２膨張弁１４および第１電磁弁１１の少なくとも一方により開閉可能な第１冷媒管路が設けられている。第１室外熱交換器３の上記流出側と第２室内熱交換器６の冷媒出入口６Ａとの間には、第２膨張弁１４、第１電磁弁１１および第３電磁弁１３のうちの少なくともいずれか１つにより開閉可能な第２冷媒管路が設けられている。第１冷媒管路と第２冷媒管路とは、共通している部分（第１室外熱交換器３の上記流出側と点ｊとの間に形成されている冷媒流路）と共通していない部分（点ｊと冷媒出入口６Ａとの間に形成されている冷媒管路）とを有している。第２膨張弁１４および第１電磁弁１１は第２冷媒管路において当該共通している部分に設けられている。第３電磁弁１３は第２冷媒管路において当該共通していない部分に設けられている。
【００５１】
第１室外熱交換器３の上記流出側と第１室内熱交換器５の冷媒出入口５Ｂとの間には、第２膨張弁１４、第１電磁弁１１、第１膨張弁１５、第３膨張弁１６および第４膨張弁１７の少なくともいずれか１つにより開閉可能な第３冷媒管路が設けられている。第１室外熱交換器３の上記流出側と第２室内熱交換器６の冷媒出入口６Ｂとの間には、第２膨張弁１４、第２電磁弁１２、および第１膨張弁１５の少なくともいずれか１つにより開閉可能な第４冷媒管路が設けられている。第３冷媒管路と第４冷媒管路とは、共通している部分（第１室外熱交換器３の上記流出側と点ｇとの間に形成されている冷媒管路）と共通していない部分（点ｇと冷媒出入口５Ｂとの間に形成されている冷媒管路）とを有している。第２膨張弁１４、第２電磁弁１２、および第１膨張弁１５は、第３冷媒管路において当該共通している部分に設けられており、第３膨張弁１６および第４膨張弁１７は、第３冷媒管路において当該共通していない部分に設けられている。また、第３冷媒管路は、第１冷媒管路と共通している部分（第１室外熱交換器３の上記流出側と点ｈとの間に形成されている冷媒管路）を有している。第２膨張弁１４は、第３冷媒管路において当該共通している部分に設けられている。
【００５２】
第２室外熱交換器４の上記流出側と第１室内熱交換器５の冷媒出入口５Ａとの間には、第１電磁弁１１および第２電磁弁１２の少なくともいずれか１つにより開閉可能な第５冷媒管路が設けられている。第２室外熱交換器４の上記流出側と第２室内熱交換器６の冷媒出入口６Ａとの間には、第１電磁弁１１、第２電磁弁１２および第３電磁弁１３のうちの少なくともいずれか１つにより開閉可能な第６冷媒管路が設けられている。第５冷媒管路と第６冷媒管路とは、共通部分（第２室外熱交換器４の上記流出側と点ｊとの間に形成されている冷媒管路）と共通していない部分（点ｊと冷媒出入口６Ａとの間に形成されている冷媒管路）とを有している。第１電磁弁１１、第２電磁弁１２は第６冷媒管路において当該共通している部分に設けられており、第３電磁弁１３は第６冷媒管路において当該共通していない部分に設けられている。
【００５３】
第２室外熱交換器４の上記流出側と第１室内熱交換器５の冷媒出入口５Ｂとの間には、第１膨張弁１５、第３膨張弁１６、および第４膨張弁１７の少なくともいずれか１つにより開閉可能な第７冷媒管路が設けられている。第２室外熱交換器４の上記流出側と第２室内熱交換器６の冷媒出入口６Ｂとの間には、第１膨張弁１５により開閉可能な第８冷媒管路が設けられている。第７冷媒管路と第８冷媒管路とは、共通部分（第２室外熱交換器４の上記流出側と点ｇとの間に形成されている冷媒管路）と共通していない部分（点ｇと冷媒出入口５Ｂとの間に形成されている冷媒管路）とを有している。第１膨張弁１５は第７冷媒管路において当該共通している部分に設けられており、第３膨張弁１６および第４膨張弁１７は第７冷媒管路において当該共通していない部分に設けられている。上記第１状態では、第１冷媒管路および第５冷媒管路が開放されて冷媒流路を構成している。上記第２状態では、第８冷媒管路が開放されて冷媒流路を構成している。  図４〜図８を参照して、上記のような構成を備える空気調和機１００の、冷房主体運転以外の他の動作について説明する。空気調和機１００は、冷房主体運転の他、冷房専用運転、暖房主体運転、暖房専用運転、および完全熱回収運転を実施可能である。冷房専用運転では、全ての室内熱交換器が蒸発器として作用される。暖房主体運転では、冷暖同時運転において、室内熱交換器の全体の暖房負荷が冷房負荷よりも大きい。完全熱回収運転では、室外熱交換器で熱交換が行われずに室内熱交換器のみで熱交換が行われ、例えば第１室内熱交換器５が凝縮器として作用され第２室内熱交換器６が蒸発器として作用される。
【００５４】
図４に示されるように、空気調和機１００は、冷房専用運転では、第１三方弁９を介して第１圧縮機１と第１室外熱交換器３とが接続され、第２三方弁１０を介して第２圧縮機２と第２室外熱交換器４とが接続される。空気調和機１００は、冷房専用運転において、第２膨張弁１４、第２電磁弁１２、第１膨張弁１５、第３電磁弁１３、第３膨張弁１６および第４膨張弁１７が開放され、第１電磁弁１１が閉止される。これにより、空気調和機１００は、冷房専用運転において、第１圧縮機１、第１四方弁７、第１三方弁９、第１室外熱交換器３、第２膨張弁１４、第２電磁弁１２、第１膨張弁１５、および第２室内熱交換器６が順に直列に接続されるとともに、第２圧縮機２、第２四方弁８、第２三方弁１０、第２室外熱交換器４、第１膨張弁１５、第４膨張弁１７、第３膨張弁１６および第１室内熱交換器５が順に直列に接続される。このとき、分岐点ｈを有する分岐管には、第１室外熱交換器３から第１室内熱交換器５または第２室内熱交換器６に流れる冷媒のみが流通する。なお、冷房専用運転において、上述した第３冷媒管路、第４冷媒管路、第７冷媒管路および第８冷媒管路が開放されて冷媒流路を構成している。
【００５５】
図５および図６に示されるように、空気調和機１００は、完全熱回収運転では、第１三方弁９を介して第１圧縮機１と第１室内熱交換器５とが接続され、第２三方弁１０を介して第２圧縮機２と第１室内熱交換器５とが接続される。さらに、第１室内熱交換器５および第２室内熱交換器６のうち、凝縮器として作用する一方から蒸発器として作用する他方に冷媒が流通するように、第１四方弁７および第２四方弁８が制御される。図５に示されるように、空気調和機１００は、第１室内熱交換器５を凝縮器、第２室内熱交換器６を蒸発器とする完全熱回収運転において、第１電磁弁１１、第３膨張弁１６および第４膨張弁１７が開放され、第２電磁弁１２、第３電磁弁１３、第１膨張弁１５、第２膨張弁１４が閉止される。これにより、空気調和機１００は、第１圧縮機１、第１四方弁７、第１三方弁９、第１電磁弁１１、第１室内熱交換器５、第３膨張弁１６、第４膨張弁１７および第２室内熱交換器６が順に直列に接続されるとともに、第２圧縮機２、第２四方弁８、第２三方弁１０、第１電磁弁１１、第１室内熱交換器５、第３膨張弁１６、第４膨張弁１７および第２室内熱交換器６が順に直列に接続される。
【００５６】
また、図６に示されるように、空気調和機１００は、第１室内熱交換器５を蒸発器、第２室内熱交換器６を凝縮器とする完全熱回収運転において、第１電磁弁１１、第３膨張弁１６および第４膨張弁１７が開放され、第２電磁弁１２、第３電磁弁１３、第１膨張弁１５、第２膨張弁１４が閉止される。これにより、空気調和機１００は、第１圧縮機１、第１四方弁７、第２室内熱交換器６、第４膨張弁１７、第３膨張弁１６、第１室内熱交換器５、第１電磁弁１１、第１三方弁９が順に直列に接続される。さらに、空気調和機１００は、第２圧縮機２、第２四方弁８、第２室内熱交換器６、第４膨張弁１７、第３膨張弁１６、第１室内熱交換器５、第１電磁弁１１および第２三方弁１０が順に直列に接続される。分岐点ｈを有する分岐管には、第１三方弁９と第１室内熱交換器５との間に流れる冷媒と第２三方弁１０と第１室内熱交換器５との間に流れる冷媒が流通する。
【００５７】
図７に示されるように、空気調和機１００は、第１室内熱交換器５が蒸発器として作用し第２室内熱交換器６が凝縮器として作用する暖房主体運転時（以下、単に暖房主体運転時という）では、第１三方弁９を介して第１圧縮機１と第１室外熱交換器３とが接続され、第２三方弁１０を介して第２圧縮機２と第２室外熱交換器４とが接続される。空気調和機１００は、暖房主体運転において、第２膨張弁１４、第１電磁弁１１、第２電磁弁１２、第３膨張弁１６および第４膨張弁１７が開放され、第１膨張弁１５および第３電磁弁１３が閉止される。これにより、空気調和機１００は、暖房主体運転において、第１圧縮機１、第１四方弁７、第２室内熱交換器６、第４膨張弁１７、第３膨張弁１６、第１室内熱交換器５、第１電磁弁１１、第２膨張弁１４、第１室外熱交換器３、第１三方弁９が順に直列に接続されるとともに、第１圧縮機１、第１四方弁７、第２室内熱交換器６、第４膨張弁１７、第３膨張弁１６、第１室内熱交換器５、第１電磁弁１１、第２電磁弁１２、第２室外熱交換器４、第２三方弁１０が直列に接続される。分岐点ｈを有する分岐管には、第１室内熱交換器５から第１室外熱交換器３に流れる冷媒と、第１室内熱交換器５から第２室外熱交換器４に流れる冷媒とが流通する。なお、暖房主体運転において、上述した第１冷媒管路および第５冷媒管路が開放されて冷媒流路を構成している。
【００５８】
さらに、空気調和機１００は、暖房主体運転において、第２圧縮機２、第２四方弁８、第２室内熱交換器６、第４膨張弁１７、第３膨張弁１６、第１室内熱交換器５、第１電磁弁１１、第２膨張弁１４、第１室外熱交換器３、第１三方弁９が順に直列に接続されるとともに、第２圧縮機２、第２四方弁８、第２室内熱交換器６、第４膨張弁１７、第３膨張弁１６、第１室内熱交換器５、第１電磁弁１１、第２電磁弁１２、第２室外熱交換器４、第２三方弁１０が順に直列に接続される。
【００５９】
図８に示されるように、空気調和機１００は、暖房専用運転では、第１三方弁９を介して第１圧縮機１と第１室外熱交換器３とが接続され、第２三方弁１０を介して第２圧縮機２と第２室外熱交換器４とが接続される。空気調和機１００は、暖房専用運転において、第１膨張弁１５、第２膨張弁１４、第１電磁弁１１、第３電磁弁１３、第３膨張弁１６および第４膨張弁１７が開放され、第２電磁弁１２が閉止される。これにより、空気調和機１００は、暖房専用運転において、第１圧縮機１、第１四方弁７、第３電磁弁１３、第１室内熱交換器５、第３膨張弁１６、第４膨張弁１７、第１膨張弁１５、第２電磁弁１２、第２膨張弁１４、第１室外熱交換器３、第１三方弁９が順に直列に接続されるとともに、第１圧縮機１、第１四方弁７、第２室内熱交換器６、第１膨張弁１５、第２電磁弁１２、第２膨張弁１４、第１室外熱交換器３、第１三方弁９が順に直列に接続される。
【００６０】
さらに、空気調和機１００は、暖房専用運転において、第２圧縮機２、第２四方弁８、第３電磁弁１３、第１室内熱交換器５、第３膨張弁１６、第４膨張弁１７、第１膨張弁１５、第２室外熱交換器４、第２三方弁１０が順に直列に接続されるとともに、第２圧縮機２、第２四方弁８、第２室内熱交換器６、第１膨張弁１５、第２室外熱交換器４、第２三方弁１０が順に直列に接続される。分岐点ｈを有する分岐管には、第２室内熱交換器６から第１室外熱交換器３または第２室外熱交換器４に流れる冷媒のみが流通する。なお、暖房専用運転において、上述した第３冷媒管路、第４冷媒管路、第７冷媒管路および第８冷媒管路が開放されて冷媒流路を構成している。
【００６１】
上記のように、空気調和機１００は、第１四方弁７、第２四方弁８、第１三方弁９、第２三方弁１０、第１膨張弁１５、第２膨張弁１４、第１電磁弁１１、第２電磁弁１２、および第３電磁弁１３の開閉を制御することにより、冷房主体運転の第１状態、冷房主体運転の第２状態、冷房専用運転、完全熱回収運転、暖房主体運転、および暖房専用運転を切り替えることができる。
【００６２】
（実施の形態２）
次に、図９を参照して、実施の形態２に係る空気調和機１０１について説明する。空気調和機１０１は、基本的に実施の形態１に係る空気調和機１００と同様の構成を備えるが、空気と冷媒とを熱交換する空気熱交換器である第１室外熱交換器３および第２室外熱交換器４に代えて、水と冷媒とを熱交換する水熱交換器である第１室外熱交換器１８および第２室外熱交換器１９を備える点で異なる。
【００６３】
第１室外熱交換器１８および第２室外熱交換器１９には、重力方向の上方に位置する冷媒出入口１８Ａ，１９Ａおよび下方に位置する冷媒出入口１８Ｂ，１９Ｂが設けられている。冷媒出入口１８Ａは、第１三方弁９および第１四方弁７を介して第１圧縮機１の吐出側に接続されている。冷媒出入口１９Ａは、第２三方弁１０および第２四方弁８を介して第２圧縮機２の吐出側に接続されている。冷媒出入口１８Ｂは、第１室内熱交換器５の冷媒出入口５Ａ（冷房主体運転時における流入側）と接続されている。冷媒出入口１９Ｂは、第１電磁弁１１を介して第１室内熱交換器５の冷媒出入口５Ａと接続されている。冷媒出入口１９Ｂは、第１膨張弁１５を介して第２室内熱交換器６の冷媒出入口６Ｂ（冷房主体運転時における流入側）と接続されている。
【００６４】
空気調和機１０１は、空気調和機１００の第２膨張弁１４（図１参照）を備えていなくてもよい。言い換えると、空気調和機１０１は、第１室外熱交換器１８の冷媒出入口１８Ｂと上記４分岐点ｈとの間の冷媒流路を開閉するための開閉弁を備えていなくてもよい。
【００６５】
空気調和機１０１は、上記第１状態において、第１圧縮機１、第１四方弁７、第１三方弁９、第１室外熱交換器１８、第１室内熱交換器５、第３膨張弁１６、第４膨張弁１７および第２室内熱交換器６が順に直列に接続されている。さらに、空気調和機１０１は、第１状態において、第２圧縮機２、第２四方弁８、第２三方弁１０、第２室外熱交換器１９、第２電磁弁１２、第１電磁弁１１、第１室内熱交換器５、第３膨張弁１６、第４膨張弁１７および第２室内熱交換器６が順に直列に接続されている。
【００６６】
空気調和機１０１は、上記第２状態において、第１圧縮機１、第１四方弁７、第１三方弁９、第１電磁弁１１、第１室内熱交換器５、第３膨張弁１６、第４膨張弁１７および第２室内熱交換器６が順に直列に接続されている。さらに、空気調和機１０１は、第２状態において、第２圧縮機２、第２四方弁８、第２三方弁１０、第２室外熱交換器１９、第１膨張弁１５、および第２室内熱交換器６が順に直列に接続されている。
【００６７】
このようにしても空気調和機１０１は、基本的に空気調和機１００と同様の構成を備えているため、空気調和機１００と同様の効果を奏することができる。さらに、空気調和機１０１は、水熱交換器である第１室外熱交換器１８および第２室外熱交換器１９を備えている。一般的に、水熱交換器は、空気熱交換器と比べて、休止状態にあるときに冷媒が溜まり込む量（冷媒の寝込み量）が少ない。そのため、空気調和機１０１は、空気調和機１００のように第２膨張弁１４を備えていなくても、冷媒の寝込み量の増加に伴う冷媒の循環量の不足が防止されているため、第１室外熱交換器１８が休止状態とされる第２状態においても、空調能力の低下が抑制されている。
【００６８】
空気調和機１００，１０１は、複数の第１室内熱交換器５および複数の第２室内熱交換器６を備えていてもよい。この場合、複数の第１室内熱交換器５は互いに並列に接続されていればよい。また、複数の第２室内熱交換器６は互いに並列に接続されていればよい。このような空気調和機１００，１０１は、第１状態において、第１圧縮機１、第１四方弁７、第１三方弁９、第１室外熱交換器３（第１室外熱交換器１８）、第２膨張弁１４、第１電磁弁１１、第１室内熱交換器５、第３膨張弁１６、第４膨張弁１７、および第２室内熱交換器６が順に直列に接続されている冷媒回路を複数有している。当該空気調和機１００，１０１は、第１状態において、第２圧縮機２、第２四方弁８、第２三方弁１０、第２室外熱交換器４（第２室外熱交換器１９）、第２電磁弁１２、第１電磁弁１１、第１室内熱交換器５、第３膨張弁１６、第４膨張弁１７、および第２室内熱交換器６が順に直列に接続されている冷媒回路を複数有している。さらに当該空気調和機１００，１０１は、第２状態において、第１圧縮機１、第１四方弁７、第１三方弁９、第１電磁弁１１、第１室内熱交換器５（第１室外熱交換器１８）、第３膨張弁１６、第４膨張弁１７、および第２室内熱交換器６が順に直列に接続されている冷媒回路を複数有している。当該空気調和機１００，１０１は、第２状態において、第２圧縮機２、第２四方弁８、第２三方弁１０、第２室外熱交換器４（第２室外熱交換器１９）、第１膨張弁１５、および第２室内熱交換器６が順に直列に接続されている冷媒回路を複数有している。
【００６９】
また、空気調和機１００，１０１において、上記切替機構は第１三方弁９に限られるものでは無く、複数個の開閉弁により構成されていてもよい。例えば、空気調和機１００，１０１において、上記切替機構は、第１圧縮機１の吐出側から第１室外熱交換器３への、第１状態において形成される冷媒の流路を停止可能な第１開閉弁と、第１圧縮機の吐出側から第１室内熱交換器５への、第２状態において形成される冷媒の流路を停止可能な第２開閉弁とを含んでいてもよい。この場合、第２状態においては、第１開閉弁が閉止されて、第２開閉弁が開放される。これにより、第２状態では、第１圧縮機１から第１室外熱交換器３への冷媒の流れが停止されるとともに第１圧縮機１から第１室内熱交換器５へ冷媒が流通する。その結果、第１圧縮機１から吐出された冷媒は、第１室外熱交換器３および第２室外熱交換器４を介さずに、第１室内熱交換器５、第３膨張弁１６、第４膨張弁１７、第２室内熱交換器６を順に流れ得る。
【００７０】
以上のように本発明の実施の形態について説明を行なったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【符号の説明】
【００７１】
１  第１圧縮機、２  第２圧縮機、３，１８  第１室外熱交換器、４，１９  第２室外熱交換器、５  第１室内熱交換器、６  第２室内熱交換器、７  第１四方弁、８  第２四方弁、９  第１三方弁、１０  第２三方弁、１１  第１電磁弁、１２  第２電磁弁、１３  第３電磁弁、１４  第２膨張弁、１５  第１膨張弁、１６  第３膨張弁、１７  第４膨張弁。
【図１】
0006698862.tif 000002
【図２】
0006698862.tif 000003
【図３】
0006698862.tif 000004
【図４】
0006698862.tif 000005
【図５】
0006698862.tif 000006
【図６】
0006698862.tif 000007
【図７】
0006698862.tif 000008
【図８】
0006698862.tif 000009
【図９】
0006698862.tif 000010
【図１０】
0006698862.tif 000011
【図１１】
0006698862.tif 000012